(57)【要約】【課題】扉が少ししか開いていない状態から急激に閉じようとする強い力が作用した場合などであっても、指詰め事故の発生を確実に防止する。【解決手段】扉を急激に閉じようとする強い力が作用した場合についても、扉をまずローラ１１に当接させ、アーム１２，１３の他端に設けられたコロ１４，１５の押圧力による衝撃を、アーム受け部４３，５３を介して緩衝材６により吸収させる。この緩衝材６による衝撃吸収の時点（１４−４，１５−４）では、コロ１４，１５は開状態の位置（１４−３，１５−３）に向けて移動できず、アーム１２，１３が扉２００と扉枠４００との間での突っ張り棒のようになり、扉２００が急激に閉じられることを防止する。【選択図】図９
2012215019.tif 000002
【特許請求の範囲】
【請求項１】
開閉可能な扉が設けられる扉枠に固定され、前記扉が閉まる際の衝撃を緩和する衝撃保護装置であって、
端部近傍で回動可能に連結された１対のアーム部と、
前記１対のアーム部の連結部における回動軸と軸方向が平行になるよう、前記１対のアーム部それぞれにおける他端近傍に設けられたコロと、
前記１対のアーム部の連結部に設けられ、前記扉が閉められる際に前記扉に当接する扉当接部と、
前記扉枠に固定され、前記コロの軸方向と垂直な平面部を有する固定部材と、
１対の前記コロの間が近づく方向に付勢する第１の付勢手段と、
前記コロの移動をガイドする移動可能なガイド手段と、
前記ガイド手段おける前記コロの移動をガイドする側の背面側に配設された緩衝手段と、
前記ガイド手段を前記緩衝手段から遠ざかる方向に付勢する第２の付勢手段と、
を備え、
前記固定部材の前記平面部にはカム溝が開設され、
前記コロは前記カム溝内で移動可能に設けられ、
前記カム溝は、
前記１対のアーム部が前記第１の付勢手段により閉じられた状態で該１対のアーム部がＶ字型になるよう前記コロを保持し、
前記１対のアーム部が前記第１の付勢手段により閉じられた状態における前記コロの位置から前記コロを前記１対のアーム部それぞれの該閉じられた状態における長手方向に移動可能とさせ、
前記コロが該長手方向に移動した状態から、前記扉による前記扉当接部への押圧により１対の前記コロの間が遠ざかるように移動可能とさせるよう形成され、
前記ガイド手段は、前記１対のアーム部が前記第１の付勢手段により閉じられた状態から前記コロが該１対のアーム部それぞれの該閉じられた状態における長手方向に移動した場合に前記コロを当接させ、
前記コロの移動による押圧力で前記第２の付勢手段による付勢に逆らって該ガイド手段が前記緩衝手段の位置まで移動された場合、該コロの当接面の背面で前記緩衝手段に当接し、前記コロの移動による押圧力を前記緩衝手段で緩衝させると共に前記コロの移動をガイドし、
前記コロが該ガイド手段に当接した状態から前記第２の付勢手段での付勢により該ガイド手段が前記緩衝手段の位置まで移動されない場合、該コロの当接面により前記コロの移動をガイドするよう構成されたことを特徴とする衝撃保護装置。
【請求項２】
前記ガイド手段は、前記コロの軸方向と平行な回動軸回りに回動可能となるよう前記固定部材に取り付けられたことを特徴とする請求項１記載の衝撃保護装置。
【請求項３】
前記緩衝手段は、前記１対のアーム部が前記第１の付勢手段により閉じられた状態での該１対のアーム部それぞれの長手方向における前記コロ側の延長線上に設けられたことを特徴とする請求項１または２記載の衝撃保護装置。
【請求項４】
前記ガイド手段は、少なくとも前記コロへの当接部分が板状部材で構成され、前記１対のアーム部が前記第１の付勢手段により閉じられた状態から前記コロが該１対のアーム部それぞれの該閉じられた状態における長手方向に移動し、当該移動による押圧力で前記第２の付勢手段による付勢に逆らって該ガイド手段が前記緩衝手段の位置まで移動された場合、該板状部材の一面が前記コロに当接し、背面が前記緩衝手段に当接し、前記コロに当接する平面部分により該コロの移動をガイドするよう構成されたことを特徴とする請求項３記載の衝撃保護装置。
【請求項５】
前記緩衝手段は、前記ガイド手段を当接させる平面部分が形成された固形緩衝材であり、少なくとも該平面部分の背面で前記固定部材に固定されたことを特徴とする請求項４記載の衝撃保護装置。
【発明の詳細な説明】
【技術分野】
【０００１】
本発明は、扉が閉まる際の衝撃を緩和する衝撃保護装置に関する。
【背景技術】
【０００２】
従来より、ドアを緩やかに閉止させるためのものとして、ドアクローザーが用いられている。
しかし、例えば屋外から家屋への入り口に設置される扉などでは、ドアクローザーが設置されていても、風圧などにより扉が急激に閉じられる場合がある。このように扉が急激に閉じられると、扉と、その扉が取り付けられる扉枠との間で指を挟んでしまう事故が発生してしまう虞がある。
【０００３】
こうした指詰め事故を防止するためのものとして、扉の開閉に伴う遠心力で出入りする当り片を扉の木口近傍に設け、扉が急激に閉じられる場合にはまずこの当り片が扉枠に当たるようにしたものがある（例えば、特許文献１参照）。
【先行技術文献】
【特許文献】
【０００４】
【特許文献１】特開平７−２８６４７３号公報
【発明の概要】
【発明が解決しようとする課題】
【０００５】
しかしながら、上述した特許文献１のものでは、扉の開閉に伴う遠心力で当り片を移動させるため、扉が少ししか開いていない状態から風圧で急に閉じられる場合など、遠心力の大きさと移動時間が十分でない場合には、当り片が移動できずに扉が急激に閉じられる虞があった。
また、長期間の使用により当り片とケースの間にゴミやホコリが溜まると、当り片が移動できなくなる虞があった。
【０００６】
本発明はこのような状況に鑑みてなされたものであり、例えば扉が少ししか開いていない状態から急激に閉じようとする強い力が作用した場合などであっても、指詰め事故の発生を確実に防止できる衝撃保護装置を提供することを目的とする。
【課題を解決するための手段】
【０００７】
かかる目的を達成するために、請求項１記載の衝撃保護装置は、開閉可能な扉が設けられる扉枠に固定され、前記扉が閉まる際の衝撃を緩和する衝撃保護装置であって、
端部近傍で回動可能に連結された１対のアーム部と、
前記１対のアーム部の連結部における回動軸と軸方向が平行になるよう、前記１対のアーム部それぞれにおける他端近傍に設けられたコロと、
前記１対のアーム部の連結部に設けられ、前記扉が閉められる際に前記扉に当接する扉当接部と、
前記扉枠に固定され、前記コロの軸方向と垂直な平面部を有する固定部材と、
１対の前記コロの間が近づく方向に付勢する第１の付勢手段と、
前記コロの移動をガイドする移動可能なガイド手段と、
前記ガイド手段おける前記コロの移動をガイドする側の背面側に配設された緩衝手段と、
前記ガイド手段を前記緩衝手段から遠ざかる方向に付勢する第２の付勢手段と、
を備え、
前記固定部材の前記平面部にはカム溝が開設され、
前記コロは前記カム溝内で移動可能に設けられ、
前記カム溝は、
前記１対のアーム部が前記第１の付勢手段により閉じられた状態で該１対のアーム部がＶ字型になるよう前記コロを保持し、
前記１対のアーム部が前記第１の付勢手段により閉じられた状態における前記コロの位置から前記コロを前記１対のアーム部それぞれの該閉じられた状態における長手方向に移動可能とさせ、
前記コロが該長手方向に移動した状態から、前記扉による前記扉当接部への押圧により１対の前記コロの間が遠ざかるように移動可能とさせるよう形成され、
前記ガイド手段は、前記１対のアーム部が前記第１の付勢手段により閉じられた状態から前記コロが該１対のアーム部それぞれの該閉じられた状態における長手方向に移動した場合に前記コロを当接させ、
前記コロの移動による押圧力で前記第２の付勢手段による付勢に逆らって該ガイド手段が前記緩衝手段の位置まで移動された場合、該コロの当接面の背面で前記緩衝手段に当接し、前記コロの移動による押圧力を前記緩衝手段で緩衝させると共に前記コロの移動をガイドし、
前記コロが該ガイド手段に当接した状態から前記第２の付勢手段での付勢により該ガイド手段が前記緩衝手段の位置まで移動されない場合、該コロの当接面により前記コロの移動をガイドするよう構成されたことを特徴とする。
【０００８】
この衝撃保護装置では、扉を急激に閉じようとする力が作用した場合であっても、扉がまず扉当接部に当接し、扉が閉じられることによる押圧力で１対のアーム部が、そのアーム部の閉じられた状態における長手方向に移動し、コロがガイド手段を第２の付勢手段での付勢に逆らって移動させ、そのままガイド手段を緩衝手段に衝突させる。このため、アームが突っ張り棒のようになって扉の急激な閉止を防止すると共に、緩衝手段により衝撃力を緩和することができる。
また、扉を通常の力で閉じる場合であっても、アーム部の閉じられた状態における長手方向にコロが移動した後、コロはカム溝内を、１対のコロの間が遠ざかるように移動する。このため、通常の力による扉の開閉もスムーズに行うことができる。
【０００９】
請求項２記載の衝撃保護装置は、前記ガイド手段が、前記コロの軸方向と平行な回動軸回りに回動可能となるよう前記固定部材に取り付けられたことを特徴とする。
【００１０】
この衝撃保護装置では、扉を急激に閉じようとする力が作用した場合であっても、ガイド手段がコロの軸方向と平行な回動軸回りに回動することで、コロの移動を受けつつ、緩衝手段により衝撃力を緩和させることができる。
【００１１】
請求項３記載の衝撃保護装置は、前記緩衝手段が、前記１対のアーム部が前記第１の付勢手段により閉じられた状態での該１対のアーム部それぞれの長手方向における前記コロ側の延長線上に設けられたことを特徴とする。
【００１２】
この衝撃保護装置では、コロの移動による押圧力でガイド手段が緩衝手段の位置まで移動された場合であっても、ガイド手段におけるコロへの当接部分の背面に緩衝手段が位置することとなるため、ガイド手段の部材に過剰な負荷をかけてしまうことなく、緩衝手段により衝撃力をスムーズに緩和することができる。
【００１３】
請求項４記載の衝撃保護装置は、前記ガイド手段が、少なくとも前記コロへの当接部分が板状部材で構成され、前記１対のアーム部が前記第１の付勢手段により閉じられた状態から前記コロが該１対のアーム部それぞれの該閉じられた状態における長手方向に移動し、当該移動による押圧力で前記第２の付勢手段による付勢に逆らって該ガイド手段が前記緩衝手段の位置まで移動された場合、該板状部材の一面が前記コロに当接し、背面が前記緩衝手段に当接し、前記コロに当接する平面部分により該コロの移動をガイドするよう構成されたことを特徴とする。
【００１４】
この衝撃保護装置では、ガイド手段における少なくともコロへの当接部分が板状部材で構成されるため、ガイド手段がコロと緩衝手段の間に挟まれる状態となっても、コロによる押圧力を緩衝手段に適切に伝達することができると共に、コロの移動を適切にガイドすることができる。
【００１５】
請求項５記載の衝撃保護装置は、前記緩衝手段が、前記ガイド手段を当接させる平面部分が形成された固形緩衝材であり、少なくとも該平面部分の背面で前記固定部材に固定されたことを特徴とする。
【００１６】
この衝撃保護装置では、固形緩衝材である緩衝手段に、ガイド手段を当接させる平面部分が形成され、少なくともその平面部分の背面で固定部材に固定されるため、扉を急激に閉じようとする力が作用した場合であっても、緩衝手段は衝撃力を安定して受けることができ、確実な衝撃力の緩和ができる。
【発明の効果】
【００１７】
以上のように、本発明によれば、例えば扉が少ししか開いていない状態から急激に閉じようとする強い力が作用した場合などであっても、指詰め事故の発生を確実に防止することができる。
【図面の簡単な説明】
【００１８】
【図１】本発明の実施形態としての衝撃保護装置１００の取り付け例を水平方向に示す概略図である。
【図２】衝撃保護装置１００の取り付け例を上下方向に示す概略図である。
【図３】衝撃保護装置１００の（ａ）側面図および（ｂ）平面図である。
【図４】アームが端部まで閉じられ、上ケース３１が取り外された状態を示す平面図である。
【図５】アームが端部まで開かれ、上ケース３１が取り外された状態を示す平面図である。
【図６】アーム受け部４３、コロ１４、緩衝材６の位置関係を示す図である。
【図７】アーム受け部５３、コロ１５、緩衝材６の位置関係を示す図である。
【図８】扉が通常の力で閉じられる場合の動作を示す図である。
【図９】扉を急激に閉止するような強い力が作用した場合の動作を示す図である。
【発明を実施するための形態】
【００１９】
次に、本発明に係る衝撃保護装置を適用した一実施形態について、図面を用いて詳細に説明する。
【００２０】
本実施形態の衝撃保護装置１００は、図１、図２に示すように、扉枠４００上部の内側にネジ３００で固定されて用いられる。扉枠４００には、ヒンジ部により開閉可能な扉２００が取り付けられる。
【００２１】
図１（ａ）および図２では、扉２００が開かれている状態例を示す。図１（ｂ）のように扉２００が閉められる際には、扉２００が衝撃保護装置１００に設けられたローラ（扉当接部）１１を押圧し、衝撃保護装置１００のアームを移動させる。
【００２２】
次に、本実施形態の衝撃保護装置１００の構成について説明する。
図３は、衝撃保護装置１００の構成を示す。図３（ａ）は、アーム１２，１３が閉じられた状態の側面図を示し、図３（ｂ）は、アーム１２，１３の動作を示す平面図である。
図４、図５は、衝撃保護装置１００から、図３に示す上ケース３１を取り外した状態を示す。
【００２３】
図４は、扉２００が開けられ、アーム１２，１３がコイルバネ（第１の付勢手段）１７の復元力により端部まで閉じられた状態（以下、閉状態）を示す。
図５は、ローラ１１がケース２１の方に近づけられることでアーム１２，１３のＶ字型が開いていき、コロ１４，１５の間がカム溝２２，２３に沿って遠ざかり、その遠ざかる方向におけるカム溝２２，２３の端部までコロ１４，１５が移動した状態（以下、開状態）を示す。
【００２４】
図３〜図５に示すように、衝撃保護装置１００は、上ケース３１および下ケース２１を備え、この上ケース３１および下ケース２１が、扉枠４００に固定される固定部材となる。
【００２５】
上ケース３１および下ケース２１は、それぞれ平面部が形成され、その平面部に略左右対称なカム溝が開設される。上ケース３１のカム溝３２と、下ケース２１のカム溝２２は、上から見て同じ形状、寸法となっている。また、上ケース３１のカム溝３３と、下ケース２１のカム溝２３は、上から見て同じ形状、寸法となっている。
【００２６】
また、衝撃保護装置１００は、アーム１２，１３を備え、このアーム１２，１３は連結軸１６により回動可能に連結される。連結軸１６には、ローラ１１が、この連結軸１６回りに回動可能に取り付けられる。
【００２７】
ローラ１１の回動平面における直径は、アーム１２，１３の短手方向の幅よりも大きくなっている。このため、扉２００が閉じられる際には、ローラ１１のみに当接し、アーム１２，１３には接触しないようになっている。
【００２８】
アーム１２，１３は、一端近傍が連結軸１６により連結されると共に、他端近傍にコロが設けられる。アーム１２のコロ１４、およびアーム１３のコロ１５は、何れも連結軸１６の回動軸と平行な回動軸により回動可能となっている。
【００２９】
アーム１２は、上下方向における同じ位置に配置される２枚のアーム１２ａ，１２ｂから構成され、このアーム１２ａ，１２ｂが連結軸１６およびコロ１４により両端近傍で連結される。
【００３０】
アーム１３も同様に、上下方向における同じ位置に配置される２枚のアーム１３ａ，１３ｂから構成され、このアーム１３ａ，１３ｂが連結軸１６およびコロ１５により両端近傍で連結される。
【００３１】
ローラ１１は、アーム１２ａ，１３ａと、アーム１２ｂ，１３ｂの間に挟まれるように設けられる。また、アーム１２ａ，１２ｂ，１３ａ，１３ｂはそれぞれ、長手方向の長さが同じに形成される。また、連結軸１６およびコロ１４間の長さと、連結軸１６およびコロ１５間の長さも同じに形成される。
【００３２】
アーム１２，１３は、コロ１４，１５が対応するカム溝内に嵌め込まれることで、上下のケース２１，３１に対して移動可能に取り付けられる。すなわち、コロ１４はカム溝２２，３２内で水平方向に移動可能とされ、コロ１５はカム溝２３，３３内で水平方向に移動可能とされている。
【００３３】
アーム１２ａ，１２ｂの間の長さ、およびアーム１３ａ，１３ｂの間の長さは、何れも上ケース３１，下ケース２１間の長さよりも長く形成される。このため、アーム１２，１３は、上ケース３１，下ケース２１に対して外側から覆い被せさられるように取り付けられる。
【００３４】
コロ１４は、上下方向の中央部に溝１４ａが凹設され、コロ１５は、上下方向の中央部に溝１５ａが凹設される。この溝１４ａ、溝１５ａ間にはコイルバネ１７が取り付けられ、コロ１４，１５間を近づける方向に復元力を作用させる。
【００３５】
このため、扉２００が開かれている状態では、アーム１２，１３間は、コロ１４，１５がそれぞれのカム溝内で移動可能な端部まで閉じられ、図３、図４に示すようなＶ字型に保持される。
【００３６】
カム溝２２，３２は、アーム１２，１３が端部まで閉じられた図４の閉状態から、コロ１４を、その閉状態におけるアーム１２の長手方向に移動可能とさせると共に、その移動途中からアーム１２が図５の開状態となる位置へと移動可能とさせるように形成される。
【００３７】
カム溝２３，３３は、アーム１２，１３が端部まで閉じられた図４の閉状態から、コロ１５を、その閉状態におけるアーム１３の長手方向に移動可能とさせると共に、その移動途中からアーム１３が図５の開状態となる位置へと移動可能とさせるように形成される。
【００３８】
アーム１２，１３が閉状態である場合のコロ１４の位置から、その閉状態におけるアーム１２の長手方向におけるコロ１４側への延長線上に、緩衝材６が設けられる。
また、図４〜図６に示すように、その緩衝材６と、閉状態でのコロ１４の位置との間にアーム受け部４３が配置されるよう、そのアーム受け部４３を備えるストッパ４が設けられる。ストッパ４は、緩衝材６よりも開状態でのコロ１４の位置に近い位置に設けられた回動軸４１回りに回動可能となるよう、上下のケース２１，３１間に取り付けられる。
【００３９】
図６（ａ）は、アーム受け部４３と、閉状態でのコロ１４の位置と、緩衝材６との位置関係を装置側面から示し、図６（ｂ）は、そのアーム受け部４３を備えるストッパ４を平面図として示す。
【００４０】
ストッパ４は、この図６に示すように、回動軸４１回りに回動可能な保持部４２に対して、水平方向の一方にアーム受け部４３が設けられ、水平方向の反対側に調整ネジ受け部４４が設けられる。また、回動軸４１内部に設けられる不図示のバネ（第２の付勢手段）の復元力が、上から見て時計回り方向、すなわちアーム受け部４３が緩衝材６から離れる方向に作用する。
【００４１】
ストッパ４のアーム受け部４３は、板状部材が折り曲げられて形成され、コロ１４に当接する面と、その背面の緩衝材６に当接する面は、何れも平面となるよう形成される。また、アーム受け部４３から保持部４２にかけてのコロ１４に当接する面は、コロ１４の移動をガイドする平面状のレール部となっている。
【００４２】
また、図６に示すように、コロ１４からアーム受け部４３が押圧されることで、アーム受け部４３が緩衝材６の位置まで移動された場合、アーム受け部４３におけるその緩衝材６に当接する面は、緩衝材６に覆い被さるようにして当接する。
【００４３】
また、アーム１２，１３が閉状態である場合のコロ１５の位置から、その閉状態におけるアーム１２の長手方向におけるコロ１５側への延長線上に、緩衝材６が設けられる。
また、図４、図５、図７に示すように、その緩衝材６と、閉状態でのコロ１５の位置との間にアーム受け部５３が配置されるよう、そのアーム受け部５３を備えるストッパ５が設けられる。ストッパ５は、緩衝材６よりも開状態でのコロ１５の位置に近い位置に設けられた回動軸５１回りに回動可能となるよう、上下のケース２１，３１間に取り付けられる。
【００４４】
図７（ｂ）は、アーム受け部５３と、閉状態でのコロ１５の位置と、緩衝材６との位置関係を装置側面から示し、図７（ａ）は、そのアーム受け部５３を備えるストッパ５を平面図として示す。
【００４５】
ストッパ５は、この図７に示すように、回動軸５１回りに回動可能な保持部５２に対して、水平方向の一方にアーム受け部５３が設けられ、水平方向の反対側に調整ネジ受け部５４が設けられる。また、回動軸５１内部に設けられる不図示のバネ（第２の付勢手段）の復元力が、上から見て反時計回り方向、すなわちアーム受け部５３が緩衝材６から離れる方向に作用する。
【００４６】
ストッパ５のアーム受け部５３は、板状部材が折り曲げられて形成され、コロ１５に当接する面と、その背面の緩衝材６に当接する面は、何れも平面となるよう形成される。また、アーム受け部５３から保持部５２にかけてのコロ１５に当接する面は、コロ１５の移動をガイドする平面状のレール部となっている。
【００４７】
また、図７に示すように、コロ１５からアーム受け部５３が押圧されることで、アーム受け部５３が緩衝材６の位置まで移動された場合、アーム受け部５３におけるその緩衝材６に当接する面は、緩衝材６に覆い被さるようにして当接する。
【００４８】
また、２つの緩衝材６は、何れもアーム受け部４３または５３に当接する側が平面となるよう形成され、その背面側で上下のケース２１，３１にそれぞれ固定される。
【００４９】
カム溝２２，３２は、上述のように、コロ１４を、アーム１２，１３の閉状態の位置から、アーム１２，１３の閉状態におけるアーム１２の長手方向に移動可能とさせ、そうして移動することでコロ１４が上述したアーム受け部４３に最初に当接する位置をさらに通過できるように形成される。
【００５０】
また、カム溝２３，３３は、上述のように、コロ１５を、アーム１２，１３の閉状態の位置から、アーム１２，１３の閉状態におけるアーム１３の長手方向に移動可能とさせ、そうして移動することでコロ１５が上述したアーム受け部５３に最初に当接する位置をさらに通過できるように形成される。
【００５１】
緩衝材６は、通常の扉を閉じる力では、コロ１４，１５からアーム受け部４３、５３を介して押圧されてもほとんど弾性変形せず、それでいて例えば風圧などで扉を急激に閉じようとする強い力で押圧された場合にも、その衝撃力を好適に吸収できる硬度のものが用いられる。
【００５２】
この緩衝材６の硬度や材質は、アーム受け部４３、５３との接触面積に応じて緩衝材６に加えられる圧力が変化するため、その接触面積に応じたものとしてよい。こうした緩衝材６としては、例えば低硬度（アスカーＣ硬度計で硬度２０度から３度程度）のシリコーンゴムやシリコーンゲルなどを用いることが好ましい。また、こうした低硬度のシリコーンゴムやシリコーンゲルなどの表面に非粘着処理が施されたものは、ストッパ４，５の動きを妨げる可能性をなくすことができ、さらに好ましい。
【００５３】
また、カム溝２２，３２における、アーム１２，１３の閉状態におけるアーム１２の長手方向に開設された部分は、ローラ１１が上下のケース２１，３１から離れる方向に移動した方がコロ１４，１５間の距離が狭くなるように形成されている。
【００５４】
また、カム溝２３，３３における、アーム１２，１３の閉状態におけるアーム１３の長手方向に開設された部分は、ローラ１１が上下のケース２１，３１から離れる方向に移動した方がコロ１４，１５間の距離が狭くなるように形成されている。
【００５５】
このため、扉２００が開かれ、アーム１２，１３が閉状態である場合には、コイルバネ１７の弾性による復元力により、コロ１４，１５間の距離が最も狭くなる位置、すなわちローラ１１がケース２１，３１から最も離れた位置にローラ１１は保持されることとなる。
【００５６】
また、ストッパ４，５における調整ネジ受け部４４，５４近傍には、それぞれ調整ネジ７１と、その調整ネジ７１と螺合するナット７２が設けられる。２つのナット７２は、何れも下ケース２１に固定される。
【００５７】
ストッパ４，５は、上述のように、何れも緩衝材６からアーム受け部４３，５３が離れる方向、すなわち調整ネジ受け部４４，５４が調整ネジ７１に近づく方向に、回動部４１，５１内部のバネの復元力が作用するよう構成される。
このため、アーム１２，１３が閉状態である場合のストッパ４，５の初期位置は、それぞれに対して設けられた調整ネジ７１により調整可能となっている。この調整ネジ７１による調整は、扉２００の水平方向における長手方向の長さに応じて、衝撃保護装置１００の取り付け時に微調整するために用いられる。
【００５８】
次に、本実施形態としての衝撃保護装置１００の動作について説明する。
まず、扉２００が通常の力で開閉される際の開閉動作について、図８を参照して説明する。
【００５９】
扉２００が閉じられる際、扉２００はまず、ローラ１１に当接し、ローラ１１を上下のケース２１，３１側に押圧する。こうしてローラ１１が押圧されることにより、コロ１４，１５は、閉状態の位置（１４−１，１５−１）から、アーム１２，１３の閉状態における長手方向に移動し、調整ネジ７１により調整される初期位置に保持されているアーム受け部４３，５３に当接する（１４−２，１５−２）。
【００６０】
ここで、アーム受け部４３の初期位置での、アーム受け部４３におけるコロ１４を当接させるレール部の平面方向と、アーム１２の長手方向との角度θ２が、９０°より大きくなるようにカム溝２２，３２が形成されている。また、調整ネジ７１による調整可能範囲も、この角度θ２が９０°より大きくなる範囲内とされている。
【００６１】
また、通常の扉を閉じる力では、コロ１４によりアーム受け部４３が押圧されても、その押圧力よりも回動軸４１内部のバネの復元力の方が大きく、ストッパ４はほとんど回転しないようになっている。すなわち、回動軸４１内部のバネは、通常の扉を閉じる力ではストッパ４をほとんど回転させない復元力を作用させるものとされている。
【００６２】
このため、コロ１４が初期位置のアーム受け部４３に当接する位置（１４−２）からさらに扉２００がローラ１１を押圧すると、コロ１４は、アーム受け部４３におけるレール部にガイドされ、開状態（１４−３）の位置に向かって進むこととなる。衝撃保護装置１００の設置の際には、扉の開閉動作に対して多少の遊びを持たせるように位置決めをして設置されることとなるため、扉２００が閉じられた位置、すなわち開状態（１４−３）の位置より少し手前でコロ１４は停止することとなる。
【００６３】
また、アーム受け部５３の初期位置での、アーム受け部５３におけるコロ１５を当接させるレール部の平面方向と、アーム１３の長手方向との角度θ１についても、９０°より大きくなるようにカム溝２３，３３が形成されている。また、調整ネジ７１による調整可能範囲も、この角度θ１が９０°より大きくなる範囲内とされている。
【００６４】
また、通常の扉を閉じる力では、コロ１５によりアーム受け部５３が押圧されても、その押圧力よりも回動軸５１内部のバネの復元力の方が大きく、ストッパ５はほとんど回転しないようになっている。すなわち、回動軸５１内部のバネは、通常の扉を閉じる力ではストッパ５をほとんど回転させない復元力を作用させるものとされている。
【００６５】
このため、コロ１５が初期位置のアーム受け部５３に当接する位置（１５−２）からさらに扉２００がローラ１１を押圧すると、コロ１５は、アーム受け部５３におけるレール部にガイドされ、開状態（１５−３）の位置に向かって進むこととなる。衝撃保護装置１００の設置の際には、扉の開閉動作に対して多少の遊びを持たせるように位置決めをして設置されることとなるため、扉２００が閉じられた位置、すなわち開状態（１５−３）の位置より少し手前でコロ１５は停止することとなる。
【００６６】
扉２００が開けられる際には、コロ１４，１５間がコイルバネ１７により近づけられるよう付勢されているため、コロ１４は、カム溝２２，３２に沿って、アーム１２，１３の閉状態の位置（１４−１）まで移動することとなる。また、コロ１５は、カム溝２３，３３に沿って、アーム１２，１３の閉状態の位置（１５−１）まで移動することとなる
【００６７】
次に、例えば強風などで扉を急激に閉じようとする強い力が作用した場合の動作について、図９を参照して説明する。
【００６８】
急速に閉じられる扉２００は、まずローラ１１に当接し、ローラ１１を上下のケース２１，３１側に押圧する。こうしてローラ１１が押圧されることにより、コロ１４，１５は、閉状態の位置（１４−１，１５−１）から、アーム１２，１３の閉状態における長手方向に移動し、調整ネジ７１により調整される初期位置に保持されているアーム受け部４３，５３に当接する（図８の１４−２，１５−２）。
【００６９】
ここで、コロ１４による押圧力が、回動軸４１内部のバネの復元力によるアーム受け部４３の押し上げ力よりも十分に大きい場合、コロ１４は、回動軸４１のバネによる復元力に逆らってアーム受け部４３を押し下げ、アーム受け部４３が緩衝材６に当接する。このことにより、コロ１４の押圧力による衝撃は、アーム受け部４３を介して緩衝材６により吸収されることとなる。
【００７０】
また、コロ１５による押圧力が、回動軸５１内部のバネの復元力によるアーム受け部５３の押し上げ力よりも十分に大きい場合、コロ１５は、回動軸５１のバネによる復元力に逆らってアーム受け部５３を押し下げ、アーム受け部５３が緩衝材６に当接する。このことにより、コロ１５の押圧力による衝撃は、アーム受け部５３を介して緩衝材６により吸収されることとなる。
【００７１】
こうしてアーム受け部４３，５３が緩衝材６に沈み込んだ状態では、上述した角度θ１，θ２が９０°より小さくなるようにストッパ４，５が配置されている。このため、緩衝材６による衝撃吸収の時点（１４−４，１５−４）では、コロ１４，１５は開状態の位置（１４−３，１５−３）に向けて移動できず、アーム１２，１３が扉２００と扉枠４００との間での突っ張り棒のようになり、扉２００が急激に閉じられることを防止する。
【００７２】
こうしてコロ１４の押圧力による衝撃が緩衝材６により吸収され、アーム受け部４３が回動軸４１のバネの復元力により、調整ネジ７１による初期位置近傍まで押し戻されると、上述した角度θ２が９０°より大きくなり、上述した図８の場合と同様に、コロ１４が開状態（１４−３）の位置に向かって進む動作となる。
【００７３】
また、アーム受け部５３についても、コロ１５の押圧力による衝撃が緩衝材６により吸収され、アーム受け部５３が回動軸５１のバネの復元力により、調整ネジ７１による初期位置近傍まで押し戻されると、上述した角度θ１が９０°より大きくなり、上述した図８の場合と同様に、コロ１５が開状態（１５−３）の位置に向かって進む動作となる。
【００７４】
以上のように、上述した本発明の実施形態によれば、扉２００を急激に閉じようとする強い力が作用した場合であっても、アーム１２，１３が扉２００と扉枠４００との間での突っ張り棒のようになることで扉の急激な閉止を防止することができる。さらに、緩衝材６により、扉２００と扉枠４００との間の衝撃力を緩和することができる。
【００７５】
こうして急激な閉扉を防止することができるため、扉と扉枠の間への指挟みといった事故の発生を防止することができる。
【００７６】
また、通常の扉開閉時には、コロ１４，１５がカム溝内を回転しながら移動するため、過剰な引っ掛かり感を残すことなく、スムーズな扉の開閉ができる。
【００７７】
また、通常の扉開閉時にいつもコロ１４，１５をカム溝内で移動させることとなるため、長期間使用された場合であっても、ゴミやホコリがカム溝内などの動作部分に蓄積されることがなく、円滑かつ確実な動作を長期間にわたって継続することができる。
【００７８】
また、仮にホコリなどが溜まった場合であっても、扉２００を急激に閉じようとする強い力が作用した場合には、アーム１２，１３が閉状態での長手方向に直線的に移動し、上述のように突っ張り棒のようになって扉の急激な閉止を防止するため、ゴミやホコリの有無にほとんど影響を受けることなく、指詰め事故を確実に防止することができる。
【００７９】
なお、上述した各実施形態は本発明の好適な実施形態であり、本発明はこれに限定されることなく、本発明の技術的思想に基づいて種々変形して実施することが可能である。
【００８０】
例えば、緩衝材６は、固形緩衝材として説明したが、衝撃吸収できればこのものに限定されず、例えば各種のバネにより衝撃吸収する構成であってもよい。
【符号の説明】
【００８１】
１００    衝撃保護装置
２００    扉
３００    ネジ
４００    扉枠
１１    ローラ（扉当接部の一例）
１２、１３    アーム
１４、１５    コロ
１４ａ、１５ａ    溝
１６    連結軸
１７    コイルバネ（第１の付勢手段の一例）
２１    下ケース
２２、２３    カム溝
２４    ネジ穴
３１    上ケース
３２、３３    カム溝
４、５    ストッパ
４１、５１    回動軸
４２、５２    保持部
４３、５３    アーム受け部
４４、５４    調整ネジ受け部
６    緩衝材
７１    調整ネジ
７２    ナット
【図１】
2012215019.tif 000003
【図２】
2012215019.tif 000004
【図３】
2012215019.tif 000005
【図４】
2012215019.tif 000006
【図５】
2012215019.tif 000007
【図６】
2012215019.tif 000008
【図７】
2012215019.tif 000009
【図８】
2012215019.tif 000010
【図９】
2012215019.tif 000011